(57)【特許請求の範囲】
【請求項１】
可撓性の円筒体からなるノズルと該ノズルの径方向外側に配置されたラッパ型のガイドとを具備し、流体を前記ノズルの内周側に通過させ該ノズルから噴出させることにより該ノズルを前記ガイドに沿って旋回させる流体噴出ガンにおいて、
前記ガイドの先端部には、前記ノズルの径方向外側に環状に配置されるようにブラシが設けられており、
該ブラシは、前記ガイドに沿って旋回する前記ノズルから噴出させられる流体の噴出前方位置に配置されていて、
前記ブラシは、断面がコ字状をなす金属製の保持具内に多数の合成樹脂製の毛を挿入し前記保持具を加締めてなる円形状のもので、
前記ガイドの先端部を前記保持具の内側に嵌合させて、該保持具および前記ガイドの外側に被覆材を被せてなることを特徴とする流体噴出ガン。
【発明の詳細な説明】
【０００１】
【発明の属する技術分野】
本発明は、気体、液体、または気体と液体との混合体等の流体を噴出させる際に用いられる流体噴出ガンに関する。
【０００２】
【従来の技術】
洗浄用具として、洗浄液の流れでブラシを回転させながら洗浄液を噴出させることにより、回転するブラシで擦りながら汚れを洗浄液で洗い流すものが従来から用いられている。
また、別の洗浄用具として、低圧洗浄機に接続され、該低圧洗浄機から水が供給される際に生じる圧力で洗剤を吸い込んで水と洗剤とを混合し発泡させて噴出させるものも用いられている。
【０００３】
【発明が解決しようとする課題】
ところで、上記した回転する回転ブラシによって汚れを落とすものの場合、ブラシの一方向の回転では、突起部の裏側部分を洗うことができず、洗いむらが生じてしまうという問題があった。
他方、上記した水と洗剤とを混合し発泡させて噴出させるガンの場合、高圧洗浄機に接続させると、洗剤を吸い込むことができず、発泡させることができないという問題があった。このため、発泡させる場合には低圧洗浄機に接続させ、泡をすすぐ場合にはその効率を上げるため高圧洗浄機に接続させなければならず、非常に手間がかかってしまうという問題があった。
【０００４】
したがって、本発明の目的は、洗いむらを生じることなく洗浄を行うことができる流体噴出ガンを提供することである。
【０００５】
【課題を解決するための手段】
上記目的を達成するため、本発明の請求項１記載の流体噴出ガンは、可撓性の円筒体からなるノズルと該ノズルの径方向外側に配置されたラッパ型のガイドとを具備し、流体を前記ノズルの内周側に通過させ該ノズルから噴出させることにより該ノズルを前記ガイドに沿って旋回させるものであって、前記ガイドの先端部には、前記ノズルの径方向外側に環状に配置されるようにブラシが設けられており、該ブラシは、前記ガイドに沿って旋回する前記ノズルから噴出させられる流体の噴出前方位置に配置されていて、前記ブラシは、断面がコ字状をなす金属製の保持具内に多数の合成樹脂製の毛を挿入し前記保持具を加締めてなる円形状のもので、前記ガイドの先端部を前記保持具の内側に嵌合させて、該保持具および前記ガイドの外側に被覆材を被せてなることを特徴としている。
【０００６】
このように、ノズルの径方向外側に環状に配置されたブラシが、ガイドに沿って旋回するノズルから噴出させられる流体の噴出前方位置に配置されているため、該ブラシは、ノズルから噴出させられる流体に当たると拡径する方向に曲げられ、流体から逃げると縮径する方向に戻り、このように拡径する方向に曲げられる位置が、旋回する流体とともに順次旋回することになる。その結果、環状のブラシが全体として拡径・縮径を繰り返すように運動することになる。
【０００９】
【発明の実施の形態】
本発明の第１の実施の形態の流体噴出ガンを図１を参照して以下に説明する。
【００１０】
第１の実施の形態の流体噴出ガン１１は、気体、液体、または気体と液体との混合体等の流体を噴出させるもので、可撓性の円筒体からなるノズル１２と、ノズル１２の径方向外側に配置された断面円形状のガイド１３と、ノズル１２をガイド１３に取り付けるための取付部１４とを有しており、流体をノズル１２の内周側に通過させ該ノズル１２から噴出させることにより該ノズル１２をガイド１３の内面に沿って旋回させるものである。
【００１１】
取付部１４は、内部に図示せぬ貫通穴が軸線方向に沿って形成されるとともに外側に第１オネジ部１６と六角入力部１７と第２オネジ部１８とが軸線方向に配列されて構成されている。
【００１２】
ノズル１２は、全体が例えばナイロン・テフロン・ポリウレタン・ポリプロピレン等の合成樹脂の可撓性材料で一定肉厚に一体成形された円筒体からなるノズル本体２０を有しており、該ノズル本体２０は、その内周部を貫通孔に連通させるようにして一端部において取付部１４に固定されている。
【００１３】
また、ノズル１２は、ノズル本体２０を内側に嵌合させることにより該ノズル本体２０を外側から覆って破裂等に対する補強等を行うコイルスプリング２１を有しており、該コイルスプリング２１も、その一端部が取付部１４に固定されている。
【００１４】
さらに、ノズル１２は、ノズル本体２０のコイルスプリング２１より突出する先端部を内側に嵌合させることにより該ノズル本体２０に回転可能に設けられた円筒状の合成樹脂製の回転体２２と、該回転体２２の両側に配置されるようにノズル本体２０のコイルスプリング２１より突出する先端部を嵌合させて該ノズル本体２０に対し固定される合成樹脂製の重量部２３，２４とを有している。
【００１５】
これらの重量部２３，２４は、回転体２２のノズル本体２０に対する軸線方向位置を決めるとともに、ノズル本体２０の旋回（後述する）を効率良く行わせるために先端部に重みを持たせている。なお、回転体２２は、ノズル１２がガイド１３に沿って旋回する際にガイド１３に主に接触する部分となり、コイルスプリング２１の摩耗を防止するためのものである。
【００１６】
ガイド１３は、合成樹脂からなるもので、一端側の内周部にノズル１２の第１オネジ部１６を螺合させるメネジ部２６が形成されており、該メネジ部２６から離れるほど拡径する円筒形状（いわゆるラッパ型）をなしている。
【００１７】
そして、このガイド１３の先端部には、ノズル１２の径方向外側に環状に配置されるようにブラシ２８が設けられている。
【００１８】
このブラシ２８は、例えば、長さ方向に直交する断面がコ字状をなした金属製の保持具２９内に一部を挿入させた状態で多数の合成樹脂製の毛３０を立設させ、保持具２９を両側から加締めて毛３０を固定し、毛３０の長さを揃えた後、保持具２９を円形状に変形させることで形成される。
【００１９】
このようにして形成されたブラシ２８の内側にガイド１３を小径側から挿入させることで、該ガイド１３の先端部をブラシ２８の内側に嵌合させる。そして、この状態で、外側にゴム製の被覆材３２を被せることでブラシ２８をガイド１３に固定させる。
【００２０】
この状態で、ブラシ２８は、すべての毛３０がガイド１３の軸線方向に沿ってガイド１３から離れる方向に延出することになる。
【００２１】
このようなブラシ２８が取り付けられたガイド１３にノズル１２を挿入させて第１オネジ部１６とメネジ部２６とを螺合させることで、ノズル１２とガイド１３が一体化される。このとき、ブラシ２８は、ノズル１２の径方向外側に環状に配置されることになる。
【００２２】
そして、この状態のノズル１２の第２オネジ部１８に流体供給源からのホース等を連結させることで、該流体供給源から供給される流体をノズル１２の内周側に通過させ該ノズル１２から噴出させるとともに該ノズル１２をガイド１３に沿って先端側が外側に傾斜しつつ円形状の軌跡を描くように旋回させることになるが、このときノズル１２から噴出させられる流体の噴出前方位置にブラシ２８が配置されるように、言い換えれば、ノズル１２から噴出させられた流体がブラシ２８の毛３０に内側から衝突するようにブラシ２８とノズル１２との位置関係が設定されている。
【００２３】
以上の構成の第１の実施の形態の流体噴出ガン１１によれば、流体をノズル１２の内周側に通過させその先端から噴出させると、該ノズル１２は、断面円形状をなすガイド１３に案内されて先端側が外側に傾斜しつつ円形状の軌跡を描くように旋回させられることになり、その結果、ブラシ２８は、ノズル１２から噴出させられる流体に当たると拡径する方向に曲げられ、流体から逃げると縮径する方向に戻り、このように拡径する方向に曲げられる位置が、旋回する流体とともに順次旋回することになる。その結果、環状のブラシ２８が全体として拡径・縮径を繰り返すように運動することになる。
したがって、回転運動の場合のように洗いむらを生じることなく、洗浄を行うことができる。
【００２４】
次に、参考技術の流体噴出ガンを図２を参照して以下に説明する。
【００２５】
参考技術の流体噴出ガン４１は、図示せぬ高圧洗浄機（高圧流体供給源）に接続されて用いられるものであって、高圧洗浄機から供給される流体を高圧で噴出させる高圧噴出部４２と、高圧洗浄機から供給される流体を低圧で噴出させるとともに噴出させた流体を発泡させる低圧噴出部４３と、これら高圧噴出部４２および低圧噴出部４３を連結させる連結部４４と、連結部４４に設けられて、高圧洗浄機からの流体の供給先を高圧噴出部４２および低圧噴出部４３のいずれか一方に切り換えるレバー（切換部）４５および図示せぬ内部流路切換部（切換部）とを具備している。
【００２６】
高圧噴出部４２は、可撓性の円筒体からなるノズル４７と、ノズル４７の径方向外側に配置された断面円形状のガイド４８と、ノズル４７をガイド４８に取り付けるための取付部４９とを有しており、流体をノズル４７の内周側に通過させ該ノズル４７から噴出させることにより該ノズル４７をガイド４８に沿って旋回させるものである。
【００２７】
取付部４９は、内部に図示せぬ貫通穴が軸線方向に沿って形成されるとともに外側に第１オネジ部５１と六角入力部５２と第２オネジ部５３とが軸線方向に配列されて構成されている。
【００２８】
ノズル４７は、全体が例えばナイロン・テフロン・ポリウレタン・ポリプロピレン等の合成樹脂の可撓性材料で一定肉厚に一体成形された円筒体からなるノズル本体５５を有しており、該ノズル本体５５は、内周部を貫通孔に連通させた状態でその一端側が取付部４９に固定されている。
【００２９】
また、ノズル４７は、ノズル本体５５を内側に嵌合させることにより該ノズル本体５５を外側から覆って破裂等に対する補強等を行うコイルスプリング５６を有しており、該コイルスプリング５６も、その一端部が取付部４９に固定されている。なお、このコイルスプリング５６は、ノズル４７を全長にわたって覆っている。
【００３０】
さらに、ノズル４７は、円筒状をなすとともにコイルスプリング５６の先端部を内側に嵌合させることによりコイルスプリング５６に対し固定される合成樹脂製の重量部５７と、円筒状をなすとともにコイルスプリング５６を内側に嵌合させることにより該コイルスプリング５６の中間所定位置に固定される合成樹脂製のガイド体５８，５９とを有している。
【００３１】
上記の重量部５７は、ノズル本体５５の旋回（後述する）を効率良く行わせるために先端部に重みを持たせている。なお、ガイド体５８，５９は、ノズル４７がガイド４８に沿って旋回する際にガイド４８に主に接触する部分となり、コイルスプリング５６の摩耗を防止するためのものである。
【００３２】
ガイド４８は、合成樹脂からなるとともに一端側の内周部にノズル４７の第１オネジ部５１を螺合させるメネジ部６１が形成されており、該メネジ部６１から離れるほど拡径する円筒形状（いわゆるラッパ型）をなしたガイド本体６２と、ガイド本体６２の先端部の内側に、該内側を覆うようにネジ６３で固定された金属製の内ガイド体６４とを有している。
【００３３】
以上の構成の高圧噴出部４２は、流体をノズル４７の内周側に通過させその先端から噴出させると、該ノズル４７は、断面円形状をなすガイド４８に案内されて先端側が外側に傾斜しつつ円形状の軌跡を描くように旋回させられることになり、拡径する円筒形状に流体を噴出させることになる。
【００３４】
ここで、この高圧噴出部４２は、ノズル４７の流路断面積が低圧噴出部４３の流路断面積（後述する）より小さくされており、その結果、低圧噴出部４３よりも高圧で流体を噴出させることになる。
【００３５】
低圧噴出部４３は、複数の噴出孔６６が円上に等ピッチで配置されたノズル６７と、該ノズル６７の先端に設けられ、ノズル６７から離れるほど拡径する形状をなす第１衝突部６８と、ノズル６７の外側を覆うように取り付けられるとともに貫通穴６９が形成された円筒状の第２衝突部７０とを有している。
【００３６】
この低圧噴出部４３は、流体をノズル６７の内周側に通過させ、複数の噴出孔６６から互いに平行をなすように噴出させると、該流体は、第１衝突部６８に衝突して拡径する円筒形状になり、さらに第２衝突部７０の内側に衝突させられることになる。このとき、流体は、第２衝突部７０の貫通穴６９から導入される空気を巻き込んで発泡することになる。
【００３７】
ここで、この低圧噴出部４３は、複数の噴出孔６６を合わせた流路断面積が高圧噴出部４２のノズル４７の流路断面積より大きくされており、その結果、高圧噴出部４２よりも低圧で流体を噴出させることになる。
【００３８】
連結部４４は、高圧噴出部４２と低圧噴出部４３とを並列させて連結させるとともに、これらに対し反対側に取付口７２を有しており、この取付口７２に図示せぬ高圧洗浄機を連結させる。そして、連結部４４には、高圧洗浄機からの流体を、高圧噴出部４２および低圧噴出部４３のいずれか一方に供給させる切り換えるレバー４５と図示せぬ内部流路切換部とが設けられている。
【００３９】
以上の構成の参考技術の流体噴出ガン４１によれば、高圧洗浄機に接続させ、該高圧洗浄機からの流体の供給先をレバー４５の操作で低圧噴出部４３とすることで、流体が低圧で噴出されることになるため、水の供給による圧力で洗剤を水に良好に混合させることができ、良好に発泡させることができる。他方、高圧洗浄機の流体の供給先をレバー４５の操作で高圧噴出部４２とすることで、流体が高圧で噴出されることになるため、水の供給による圧力では洗剤を水に混合させることができなくなって水のみが高圧で噴出されてすすぎが良好にできることになる。このような切り換えを、流体噴出ガン４１のレバー４５で簡単に行うことができる。
したがって、発泡噴出とすすぎとを容易に行うことができる。
【００４０】
なお、参考技術の高圧噴出部４２のガイド４８に第１の実施の形態と同様のブラシ２８を取り付けてもよい。
【００４１】
【発明の効果】
以上詳述したように、本発明の請求項１記載の流体噴出ガンによれば、ノズルの径方向外側に環状に配置されたブラシが、ガイドに沿って旋回するノズルから噴出させられる流体の噴出前方位置に配置されているため、該ブラシは、ノズルから噴出させられる流体に当たると拡径する方向に曲げられ、流体から逃げると縮径する方向に戻り、このように拡径する方向に曲げられる位置が、旋回する流体とともに順次旋回することになる。その結果、環状のブラシが全体として拡径・縮径を繰り返すように運動することになる。
したがって、回転運動の場合のように洗いむらを生じることなく、洗浄を行うことができる。
【図面の簡単な説明】
【図１】  本発明の第１の実施の形態の流体噴出ガンを示す断面図。
【図２】  参考技術の流体噴出ガンを示す断面図。
【符号の説明】
１１  流体噴出ガン
１２  ノズル
１３  ガイド
２８  ブラシ
４１  流体噴出ガン
４２  高圧噴出部
４３  低圧噴出部
４５  レバー（切換部）
【図１】
0004454077.tif 000002
【図２】
0004454077.tif 000003